【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
被写体を撮像して該被写体の電子的な画像データを生成し、この生成された画像データに対応する画像を表示する表示部を有し、前記画像に特殊効果を施すことが可能な撮像装置であって、
前記表示部が表示する前記画像から被写体画像と背景画像とを分離する画像分離部と、
前記画像分離部が分離した前記被写体画像および前記背景画像に対してそれぞれ施す特殊効果に関する情報の入力を受け付ける入力部と、
前記入力部が受け付けた情報に応じた特殊効果を前記被写体画像および前記背景画像に対して個別に施して各画像の特殊効果画像を生成する特殊効果画像生成部と、
前記特殊効果画像生成部が生成した前記特殊効果画像を用いて合成画像を生成する合成画像生成部と、
前記表示部の表示を制御する表示制御部と、
を備え、
前記表示制御部は、当該撮像装置が撮影モードに設定された場合、前記特殊効果画像生成部が前記被写体画像および前記背景画像に対して組み合わせ可能な特殊効果に関する情報を前記表示部に表示させることを特徴とする撮像装置。
【請求項２】
前記特殊効果画像生成部が前記被写体画像および前記背景画像に対して施す特殊効果の組み合わせに応じた推奨度を与える特殊効果情報を記憶する記憶部をさらに備え、
前記表示制御部は、前記特殊効果画像生成部が前記被写体画像および前記背景画像の一方に対して特殊効果を施し、この特殊効果が施された特殊効果画像が前記合成画像生成部によって前記被写体画像および前記背景画像の他方と合成された場合、この合成された合成画像を前記表示部に表示させるとともに、前記記憶部が記憶する特殊効果情報を参照して、前記被写体画像または前記背景画像に施すべき特殊効果に関する情報を、前記推奨度の高い順に前記表示部に表示させることを特徴とする請求項１に記載の撮像装置。
【請求項３】
前記記憶部は、当該撮像装置で設定可能な撮影モードと前記被写体画像または前記背景画像に施す特殊効果との組み合わせに応じた推奨度を与える第２特殊効果情報を記憶し、
前記入力部は、撮影モードの設定入力を受け付け、
前記表示制御部は、前記入力部からの入力によって撮影モードが設定された場合、前記記憶部が記憶する第２特殊効果情報を参照して、設定された前記撮影モードとの組み合わせに応じた前記推奨度の高い順に前記特殊効果に関する情報を前記表示部に表示させることを特徴とする請求項２に記載の撮像装置。
【請求項４】
前記入力部は、前記表示部の表示画面上に設けられ、外部から接触する物体の位置に応じた信号の入力を受け付けるタッチパネルを有し、
前記表示制御部は、前記特殊効果に関する情報をアイコンによって前記表示部に表示させ、
前記特殊効果画像生成部は、前記タッチパネルが前記アイコンの表示領域上に位置する接触領域で入力を受け付けた前記アイコンに対応する特殊効果を、前記被写体画像または前記背景画像に施して前記特殊効果画像を生成することを特徴する請求項１〜３のいずれか一つに記載の撮像装置。
【請求項５】
前記表示制御部は、直近に施した特殊効果との組み合わせに応じて前記アイコンの色および／または大きさを変えた表示態様で前記表示部に強調表示させることを特徴とする請求項４に記載の撮像装置。
【請求項６】
前記表示制御部は、直近に施した特殊効果に対して組み合わせることが可能な特殊効果に関する情報のみを前記表示部に表示させることを特徴とする請求項１〜５のいずれか一つに記載の撮像装置。
【請求項７】
被写体を撮像して該被写体の電子的な画像データを生成し、該画像データに対応する画像を表示可能であるとともに、前記画像に特殊効果を施すことが可能な撮像装置が実行する撮像方法であって、
前記画像から被写体画像と背景画像とを分離する画像分離ステップと、
前記画像分離ステップで分離した前記被写体画像および前記背景画像の一方に対して特殊効果を施した特殊効果画像を生成する特殊効果画像生成ステップと、
前記特殊効果画像生成ステップで生成した特殊効果画像を前記被写体画像および前記背景画像の他方と合成して合成画像を生成する合成画像生成ステップと、
前記合成画像生成ステップで生成した合成画像を表示するとともに、当該撮像装置が撮影モードに設定された場合、前記特殊効果画像生成ステップで前記被写体画像および前記背景画像に対して組み合わせ可能な特殊効果に関する情報を表示する表示ステップと、
を含むことを特徴とする撮像方法。
【請求項８】
被写体を撮像して該被写体の電子的な画像データを生成し、該画像データに対応する画像を表示可能であるとともに、前記画像に特殊効果を施すことが可能な撮像装置に、
前記画像から被写体画像と背景画像とを分離する画像分離ステップと、
前記画像分離ステップで分離した前記被写体画像および前記背景画像の一方に対して特殊効果を施した特殊効果画像を生成する特殊効果画像生成ステップと、
前記特殊効果画像生成ステップで生成した特殊効果画像を前記被写体画像および前記背景画像の他方と合成して合成画像を生成する合成画像生成ステップと、
前記合成画像生成ステップで生成した合成画像を表示するとともに、当該撮像装置が撮影モードに設定された場合、前記特殊効果画像生成ステップで前記被写体画像および前記背景画像に対して組み合わせ可能な特殊効果に関する情報を表示する表示ステップと、
を実行させることを特徴とする撮像プログラム。
【手続補正２】
【補正対象書類名】明細書
【補正対象項目名】発明の名称
【補正方法】変更
【補正の内容】
【発明の名称】撮像装置、撮像方法および撮像プログラム
【手続補正３】
【補正対象書類名】明細書
【補正対象項目名】０００７
【補正方法】変更
【補正の内容】
【０００７】
上述した課題を解決し、目的を達成するために、本発明に係る撮像装置は、被写体を撮像して該被写体の電子的な画像データを生成し、この生成された画像データに対応する画像を表示する表示部を有し、前記画像に特殊効果を施すことが可能な撮像装置であって、前記表示部が表示する前記画像から被写体画像と背景画像とを分離する画像分離部と、前記画像分離部が分離した前記被写体画像および前記背景画像に対してそれぞれ施す特殊効果に関する情報の入力を受け付ける入力部と、前記入力部が受け付けた情報に応じた特殊効果を前記被写体画像および前記背景画像に対して個別に施して各画像の特殊効果画像を生成する特殊効果画像生成部と、前記特殊効果画像生成部が生成した前記特殊効果画像を用いて合成画像を生成する合成画像生成部と、前記表示部の表示を制御する表示制御部と、を備え、前記表示制御部は、当該撮像装置が撮影モードに設定された場合、前記特殊効果画像生成部が前記被写体画像および前記背景画像に対して組み合わせ可能な特殊効果に関する情報を前記表示部に表示させることを特徴とする。
【手続補正４】
【補正対象書類名】明細書
【補正対象項目名】０００８
【補正方法】変更
【補正の内容】
【０００８】
また、本発明に係る撮像装置は、上記発明において、前記特殊効果画像生成部が前記被写体画像および前記背景画像に対して施す特殊効果の組み合わせに応じた推奨度を与える特殊効果情報を記憶する記憶部をさらに備え、前記表示制御部は、前記特殊効果画像生成部が前記被写体画像および前記背景画像の一方に対して特殊効果を施し、この特殊効果が施された特殊効果画像が前記合成画像生成部によって前記被写体画像および前記背景画像の他方と合成された場合、この合成された合成画像を前記表示部に表示させるとともに、前記記憶部が記憶する特殊効果情報を参照して、前記被写体画像または前記背景画像に施すべき特殊効果に関する情報を、前記推奨度の高い順に前記表示部に表示させることを特徴とする。
【手続補正５】
【補正対象書類名】明細書
【補正対象項目名】０００９
【補正方法】変更
【補正の内容】
【０００９】
また、本発明に係る撮像装置は、上記発明において、前記記憶部は、当該撮像装置で設定可能な撮影モードと前記被写体画像または前記背景画像に施す特殊効果との組み合わせに応じた推奨度を与える第２特殊効果情報を記憶し、前記入力部は、撮影モードの設定入力を受け付け、前記表示制御部は、前記入力部からの入力によって撮影モードが設定された場合、前記記憶部が記憶する第２特殊効果情報を参照して、設定された前記撮影モードとの組み合わせに応じた前記推奨度の高い順に前記特殊効果に関する情報を前記表示部に表示させることを特徴とする。
【手続補正６】
【補正対象書類名】明細書
【補正対象項目名】００１１
【補正方法】変更
【補正の内容】
【００１１】
また、本発明に係る撮像装置は、上記発明において、前記表示制御部は、直近に施した特殊効果との組み合わせに応じて前記アイコンの色および／または大きさを変えた表示態様で前記表示部に強調表示させることを特徴とする。
【手続補正７】
【補正対象書類名】明細書
【補正対象項目名】００１２
【補正方法】変更
【補正の内容】
【００１２】
また、本発明に係る撮像装置は、上記発明において、前記表示制御部は、直近に施した特殊効果に対して組み合わせることが可能な特殊効果に関する情報のみを前記表示部に表示させることを特徴とする。
また、本発明に係る撮像方法は、被写体を撮像して該被写体の電子的な画像データを生成し、該画像データに対応する画像を表示可能であるとともに、前記画像に特殊効果を施すことが可能な撮像装置が実行する撮像方法であって、前記画像から被写体画像と背景画像とを分離する画像分離ステップと、前記画像分離ステップで分離した前記被写体画像および前記背景画像の一方に対して特殊効果を施した特殊効果画像を生成する特殊効果画像生成ステップと、前記特殊効果画像生成ステップで生成した特殊効果画像を前記被写体画像および前記背景画像の他方と合成して合成画像を生成する合成画像生成ステップと、前記合成画像生成ステップで生成した合成画像を表示するとともに、当該撮像装置が撮影モードに設定された場合、前記特殊効果画像生成ステップで前記被写体画像および前記背景画像に対して組み合わせ可能な特殊効果に関する情報を表示する表示ステップと、を含むことを特徴とする。
また、本発明に係る撮像プログラムは、被写体を撮像して該被写体の電子的な画像データを生成し、該画像データに対応する画像を表示可能であるとともに、前記画像に特殊効果を施すことが可能な撮像装置に、前記画像から被写体画像と背景画像とを分離する画像分離ステップと、前記画像分離ステップで分離した前記被写体画像および前記背景画像の一方に対して特殊効果を施した特殊効果画像を生成する特殊効果画像生成ステップと、前記特殊効果画像生成ステップで生成した特殊効果画像を前記被写体画像および前記背景画像の他方と合成して合成画像を生成する合成画像生成ステップと、前記合成画像生成ステップで生成した合成画像を表示するとともに、当該撮像装置が撮影モードに設定された場合、前記特殊効果画像生成ステップで前記被写体画像および前記背景画像に対して組み合わせ可能な特殊効果に関する情報を表示する表示ステップと、を実行させることを特徴とする。
【手続補正８】
【補正対象書類名】明細書
【補正対象項目名】００１３
【補正方法】変更
【補正の内容】
【００１３】
本発明によれば、２つの画像データそれぞれに対して個別に特殊効果を行って合成画像を生成する場合に、特殊効果の組み合わせの選択の指針となる情報を直感的に認識することができるという効果を奏する。